(57)【要約】【課題】  複数枚の原稿を連続で読み取るＡＤＦ型画像読取装置において、原稿台ガラス上に置きざりになった原稿で紙詰まりを起こさせない画像読取装置を提供する。【解決手段】  原稿を読み取った画像を、電気的な画像信号に変換するイメージセンサと、画像信号をデジタル信号に変換するＡ／Ｄ変換器と、前記デジタル変換された画像信号を外部装置に転送する手段と、ＡＤＦに原稿をセットした場合原稿台ガラス上に原稿が置かれていないか検知する手段と、検知された場合警告を表示する手段と、原稿台ガラスに原稿がセットされていないのを確認できた場合、複数枚の原稿をセットし一枚ずつ移動させる手段とを有することを特徴とする画像読取装置。【選択図】        図３
2006165993.tif 000002
【特許請求の範囲】
【請求項１】
原稿を読み取った画像を、電気的な画像信号に変換するイメージセンサと、
画像信号をデジタル信号に変換するＡ／Ｄ変換器と、
前記デジタル変換された画像信号を外部装置に転送する手段と、
ＡＤＦに原稿をセットした場合原稿台ガラス上に原稿が置かれていないか検知する手段と、
検知された場合警告を表示する手段と、
原稿台ガラスに原稿がセットされていないのを確認できた場合、複数枚の原稿をセットし一枚ずつ移動させる手段と
を有することを特徴とする画像読取装置。
【発明の詳細な説明】
【技術分野】
【０００１】
本発明は、画像読取装置に関し、特に原稿として読み取った画像を、電気的な画像信号に変換するイメージセンサにて読み取り、それをＡ／Ｄ変換器にてデジタル化した画像信号を外部装置に転送することが可能であり、複数枚の原稿の読み取りが自動的に連続で行える画像読取装置に関する。
【背景技術】
【０００２】
従来において原稿を複数枚所定の位置にセットし、一枚ずつ原稿を移動させて画像を読み取らせるＡＤＦ機能搭載の画像読取装置があった（例えば、特許文献１参照）。
【特許文献１】特開２００１−７７９８２号公報
【発明の開示】
【発明が解決しようとする課題】
【０００３】
複数枚の原稿のスキャンを自動的に行う場合には、ＡＤＦ装置に原稿をセットして行うものであり原稿台ガラスには何も置いていない状態から始めるものである。
【０００４】
しかしＡＤＦ装置搭載の画像読取装置であっても毎回ＡＤＦ装置を利用するとは限らない。例えばカラーの印刷物であったり、本の読み取りなどについてはＡＤＦ装置を利用しないだろう。原稿台ガラスに直接原稿を置いて画像の読み取りを行い、そのまま原稿を放置してしまったらどうなるだろうか。
【０００５】
次に読み取りを行う時もまた原稿台ガラスに直接原稿を置くやり方で画像の読み取りを行えば、前の原稿が放置されて置きっぱなしという事は分かるはずである。しかしＡＤＦ装置を利用し複数枚の原稿を連続で読み込む場合は原稿台ガラスに何か置いてないか確認しないままＡＤＦ装置からの画像読み込みをスタートさせてしまう事が多いはずである。
【０００６】
その場合、一枚目の原稿と原稿台ガラスに置いてあった原稿が原因で紙詰まり等が発生する可能性があった。
【０００７】
本発明は、このような問題点に鑑みて為されたものであり、その目的とする処は、複数枚の原稿を連続で読み取るＡＤＦ型画像読取装置において、原稿台ガラス上に置きざりになった原稿で紙詰まりを起こさせない画像読取装置を提供することにある。
【課題を解決するための手段】
【０００８】
上記目的を達成するために本発明は、原稿を読み取った画像を、電気的な画像信号に変換するイメージセンサと、画像信号をデジタル信号に変換するＡ／Ｄ変換器と、前記デジタル変換された画像信号を外部装置に転送する手段と、ＡＤＦに原稿をセットした場合原稿台ガラス上に原稿が置かれていないか検知する手段と、検知された場合警告を発する手段と、原稿台ガラスに原稿がセットされていないのを確認できた場合、複数枚の原稿をセットし一枚ずつ移動させる手段を特徴としている。
【０００９】
この発明において、複数枚の原稿の画像読み取りを連続して行うＡＤＦ装置を利用した場合画像の読み取りを行う前に原稿台ガラスに原稿が置かれていないか検知を行い、原稿が置かれていると予測される場合は警告を表示させ、取り除くように指示を出す事によって、自動連続読み取りの一枚目の原稿と原稿台ガラスに置かれている原稿とで紙詰まりを起こすのを防ぐことが可能である。
【発明の効果】
【００１０】
本発明によれば、複数枚の原稿を連続で読み取るＡＤＦ型画像読取装置において、原稿台ガラス上に置きざりになった原稿で紙詰まりを起こさせない画像読取装置を提供することができる。
【発明を実施するための最良の形態】
【００１１】
以下本発明の実施例について、図面を参照しながら説明する。
【実施例１】
【００１２】
図１は、本発明の実施例１に係る画像読取装置の一つの例を示すものであり、原稿自動送り装置（ＡＤＦ）を搭載した、画像読取装置の断面図である。
【００１３】
図１において、１０１はスキャナ本体、１０２は原稿自動送り装置（ＡＤＦ）、１０３は読み取り原稿である。スキャナ１０１は、不図示のインターフェースケーブルによりホストコンピュータ（以下、ホスト）に接続されている。
【００１４】
さらに、スキャナ１０１は光学ユニット１０４、原稿台ガラス１０５、電気基板１０６、パルスモータ１０７、無端ベルト１０８、プーリ１０９、１１０、ギア列１１１、ガイドレール１１２、白色基準板１１３を有している。白色基準板１１３の中には、黒マーク１３６が有り、本スキャナはこの黒マーク１３６を基準にして読み取りエリアを決めて画像を読み取っている。
【００１５】
本実施例では、読み取り位置を決める黒マークの他にもうひとつ黒マークを設け、原稿台ガラス上に原稿が置かれていないか検知を行う。光学ユニット１０４とパルスモータ１０７はそれぞれ不図示のケーブルにより電気的に接続されている。また、光学ユニット１０４は、ガイドレール１１２に載置手段１１４により摺動可能に載置されている。また、載置手段１１４は無端ベルト１０８に固着されている。原稿自動送り装置１０２は複数の原稿を１枚ごとに原稿台ガラス１０５に搬送する。
【００１６】
そして、光学ユニット１０４は、反射原稿用光源１１５、複数の反射ミラー１１６、１１７、１１８、結像レンズ１１９、撮像手段であるラインセンサ１２０から構成されている。
【００１７】
スキャナ１０１の原稿画像読み取り動作を簡単に説明する。スキャナ１０１における読み取り動作の開始は、ホストからの読み取り命令コマンドによる。スキャナ１０１は、光学ユニット１０４の反射原稿用光源１１５を点灯させ、その反射光を複数のミラー１１６、１１７、１１８により反射させ結像レンズ１１９を介してセンサ１２０に結像することで主走査方向１ライン分の画像を読み取る。
【００１８】
また、原稿自動送り装置１０２は複数の原稿を１枚ごとに原稿台ガラス１０５に搬送する。画像読み取りの解像度及び画像サイズにより、原稿１枚の搬送を何回かに分け、搬送を停止した場合にはパルスモータ１０７の動力をギア列１１１によりプーリ１０９を回転させることで、無端ベルト１０８を駆動する。これにより、無端ベルト１０８に対して載置手段１１４により固着される光学ユニット１０４は矢印Ｘの副走査方向にガイドレール上を移動させて何ライン分か戻す。それによって何ライン分かは二度画像の読み取りを行う事となる。
【００１９】
次に図２を参照して、それぞれの機能ブロックの実施形態を説明する。
【００２０】
先ず、光学ユニット２０４において、２２４は反射原稿用光源２１５を点灯するための光源点灯回路であり、この中に光源の光量検知を行うための検知手段が含まれている。反射原稿用光源２１５に冷陰極管を用いた場合には、いわゆるインバータ回路となる。電気基板１０６において、２２５はパルスモータ１０７用のモータ駆動回路であり、スキャナ１０１のシステム制御手段であるシステムコントローラ２２６からの信号によりパルスモータ１０７の励磁切替え信号を出力する。
【００２１】
２２７Ｒ、２２７Ｇ、２２７Ｂはアナログゲイン調整器であり、ラインセンサ１２０から出力されたアナログ画像信号を可変増幅することが可能な構成である。２２８はＡ／Ｄ変換器であり、可変アナログゲイン調整器２２７から出力されたアナログ画像信号をデジタル画像信号に変換する。２２９は画像処理手段であり、デジタル信号化された画像信号に対してオフセット補正、シェーディング補正、デジタルゲイン調整、カラーバランス調整、マスキング、主・副走査方向の解像度変換を画像圧縮等の画像処理を行う。
【００２２】
２３０はラインバッファであり、画像データを一時的に記憶する部分であり、汎用のランダムアクセスメモリで実現している。２３１はインターフェイス部であり、ホスト２２１と通信するためのものである。ここではＵＳＢインターフェイスで実現しているが、ＩＥＥＥ１３９４等別のインターフェイスも採用することも可能である。
【００２３】
２３２は画像処理を行う際のワーキングエリアとして用いられるオフセットＲＡＭである。このオフセットＲＡＭ２３２は、ラインセンサ１２０がＲＧＢ用ラインセンサを各々所定のオフセットを持って平行に配置されているので、そのＲＧＢライン間オフセットの補正用として用いられる。また、オフセットＲＡＭは、シェーディング補正等の各種データの一時記憶も行う。ここでは汎用のランダムアクセスメモリで実現している。
【００２４】
２３３はガンマカーブを記憶し、ガンマ補正を行うためのガンマＲＡＭである。２２６はフィルムスキャナ全体のシーケンスを記憶したシステムコントローラであり、ホスト２２１からの命令にしたがって各種制御を行う。２３４はシステムコントローラ２２６と画像処理手段２２９とラインバッファ２３０とインターフェイス部２３１とオフセットＲＡＭ２３２とガンマＲＡＭ２３３をつなぐシステムバスであり、アドレスバスとデータバスによって構成されている。
【００２５】
次に、図３に従って本実施例に係る読み取り動作の制御方法についてフローチャートで説明する。
【００２６】
画像読取装置の電源が投入される（Ｓ３０１）。外部装置に初めてこの画像読取装置を接続した場合には、最初のスキャン時に白色基準板上の黒レベル、白レベルを取得しデータをＲＡＭに書き込む（Ｓ３０２）。次回からは、このデータを元に原稿台ガラスに原稿が乗っているかどうかの判断を行う。
【００２７】
次にユーザがＡＤＦ装置を使用するかどうか選択する（Ｓ３０３）。使用する場合ユーザがＡＤＦ装置に原稿をセットし、画像読み取りの操作を行う（Ｓ３０４）。画像の読み取りを行う前に白色基準板のデータ取得を行う。白色基準板には、黒―白―黒マークが示されており、初めて外部装置にこの画像読取装置を接続したときに保存した黒レベル、白レベルのデータと値がほぼ合うかどうか、また黒―白―黒の順でデータが読み取れるかを判断する（Ｓ３０５）。通常、白色基準板上の白データは２５５に対して２３５また黒データは１０である。
【００２８】
例えば１０％誤差があるとしてその範囲に入らないものは原稿が白色基準板と原稿台ガラスの間に存在すると判断する。判断が、原稿が乗っていると思われた時にはアプリケーション上にワーニングメッセージを表示（Ｓ３０６）し、原稿台ガラス上にのっている原稿を取り除くよう指示する。ユーザがワーニングメッセージを閉じたら画像の読み取りを行い（Ｓ３０７）、画像読み取りは終了する（Ｓ３０８）。
【００２９】
次に、図４に白色基準板の例を示す。
【００３０】
この白色基準板は、原稿台ガラスに原稿が置かれているかどうかの判断を行うと同時に画像読み取りの基準位置検出も行う。解像度に合わせて、ライン数などを決定し黒範囲または白範囲の画像読み取りを行い、データから原稿台ガラスに原稿が置かれているかの判断を行い同時に画像読み取りの基準位置検出を行う。
【００３１】
次に、図５にワーニングメッセージを示す。
【００３２】
これは、ユーザがＡＤＦ機能を使用して画像の読み取りを行う場合に、原稿台ガラスに原稿がのっているか検知を行うが、原稿がのっていると判断された場合に表示させるワーニングメッセージである。
【００３３】
以上説明したように、本発明によれば複数枚の原稿を連続で読み取るＡＤＦ型画像読取装置において、ユーザがＡＤＦ装置を使用して画像の読み取りを行う場合に、読み取り前に原稿があるかどうかの検知を行い、原稿が置いてあった場合にはワーニングメッセージを表示させ、原稿台ガラス上に置きざりになった原稿で紙詰まりを起こさせない画像読取装置を提供することが可能となる。
【図面の簡単な説明】
【００３４】
【図１】画像読取装置の断面図
【図２】ＭＯＴＯＲ、ＣＰＵなどの画像読取装置内部、ホストＰＣなどの構成図
【図３】電源投入時から画像読み取り終了までの一連の動作を示すフローチャート
【図４】白色基準板の例を示す図
【図５】ワーニングメッセージの例を示す図
【符号の説明】
【００３５】
１０１  スキャナ本体
１０２  原稿自動送り装置（ＡＤＦ）
１０３  読み取り原稿
１０４  光学ユニット
１０５  原稿台ガラス
１０６  電気基板
１０７  パルスモータ
１０８  無端ベルト
１０９  プーリ
１１０  プーリ
１１１  ギア列
１１２  ガイドレール
１１３  白色基準板
１１４  載置手段
１１５  反射原稿用光源
１１６  反射ミラー
１１７  反射ミラー
１１８  反射ミラー
１１９  結像レンズ
１２０  ラインセンサ
１３６  黒マーク
２０１  画像読取装置内部
２０４  光学ユニット
２０６  電気基板
２０７  パルスモータ
２１５  反射原稿用光源
２１９  レンズ
２２０  ＣＣＤ／ＣＩＳ
２２１  ホストＰＣ
２２２  ＵＳＢケーブル
２２３  モニタ
２２４  光源点灯回路
２２５  モータ駆動回路
２２６  システムコントローラ
２２７Ｒ  アナログゲイン調整器
２２７Ｇ  アナログゲイン調整器
２２７Ｂ  アナログゲイン調整器
２２８  Ａ／Ｄ変換器
２２９  画像処理手段
２３０  ラインバッファ
２３１  インターフェイス
２３２  オフセットＲＡＭ
２３３  ガンマＲＡＭ
２３４  ＣＰＵバス
Ｓ３０１  画像読取装置の電源ＯＮ
Ｓ３０２  外部装置に画像読取装置を初めて接続したかどうか
Ｓ３０３  白色基準板上の白レベルおよび黒レベルのデータ取得
Ｓ３０４  ＡＤＦ装置を使用するかどうか
Ｓ３０５  画像読み取り操作あり
Ｓ３０６  白色基準板上のデータ判定
Ｓ３０７  ワーニングメッセージの表示
Ｓ３０８  ワーニングメッセージ閉じる
Ｓ３０９  画像の読み取り開始
Ｓ３１０  終了
【図１】
2006165993.tif 000003
【図２】
2006165993.tif 000004
【図３】
2006165993.tif 000005
【図４】
2006165993.tif 000006
【図５】
2006165993.tif 000007